(57)【要約】      （修正有）【課題】外気及び不純物が容器内に入るのを防ぎ、内容物の品質低下を防いで使用可能期間を大幅に延長する。【解決手段】流動性物質が蓄えられる内部空間を備え、上記流動性物質を上記内部空間から外部へ導く開口部２aが設けられた容器本体２、同容器本体２の上記開口部２aを蓋い、上記流動性物質の吐出口３が形成された蓋部からなる流動性物質保存容器において、上記吐出口３は可撓性の薄いシートで筒状に形成され注出部４が連結されており、その他端部に注出口５を有する。前記注出口５は、常態時は注出部４を形成する筒状の相対する内面が密着して閉口状態であり、内容物を取り出す時は、収容物の圧力で前記注出口５が開口状態となるようにする。【選択図】図１
2015178388.tif 000002
【特許請求の範囲】
【請求項１】
流動性物質を収容するための内部空間を形成する収容部及びその収容部の内部空間内に連通する開口部を備える容器本体と、前記容器本体の前記開口部に一体若しくは着脱可能に設けられてこの開口部を塞ぐと共に前記流動性物質の吐出口が形成された蓋部と、を備え、
前記蓋部は、前記吐出口を有する中蓋と、可撓性の薄いシートで筒状に形成され、その一端部が前記吐出口に連結され、その他端部に注出口を有する注出部と、を有し、
前記注出部が前記流動性物質を前記吐出口から外部に導くようになっていることを特徴とする流動性物質保存容器。
【請求項２】
前記収容部の内側に流動性物質を収容する内部空間を有する内袋を配置し、前記内袋と前記容器本体収容部外壁との間に空間部を形成し、この空間部を外気と連通させたことを特徴とする特許請求の範囲第１項に記載した流動性物質保存容器。
【請求項３】
前記収容部の内側に、外気を収容する内部空間を有する内袋を配置し、この空間部を外気と連通させたことを特徴とする特許請求の範囲第１項乃至第２項のいずれか１項に記載した流動性物質保存容器。
【請求項４】
前記注出口の閉口後に、この注出口の縁に流動性物質が付着残存した場合、これを除去する吸収材を設けることを特徴とする特許請求の範囲第１項乃至第３項のいずれか１項に記載した流動性物質保存容器。
【請求項５】
前記蓋部又は容器本体に対し、容器内の圧力を高くすることが出来るポンプ機構を備えることを特徴とする特許請求の範囲第１項乃至第４項のいずれか１項に記載した流動性物質保存容器。
【請求項６】
前記蓋部の表面に酸素バリア性の高いプラスチック製又は金属製の薄膜を付着し、酸素透過を防止して酸化防止効果を高めることを特徴とする請求項１〜請求項５のいずれか１項に記載した流動性物質保存容器。
【請求項７】
流動性物質保存容器の開口部に一体若しくは着脱可能に設けられて、当該開口部を塞ぐと共に前記流動性物質の吐出口が形成された蓋であって、
前記蓋は、前記吐出口を有する中蓋と、可撓性の薄いシートで筒状に形成され、その一端部が前記吐出口に連結され、その他端部に注出口を有する注出部と、を有し、
前記注出部が前記流動性物質を前記吐出口から外部に導くようになっていることを特徴とする流動性物質保存容器の蓋。
【請求項８】
特許請求の範囲第７項に記載した流動性物質保存容器の蓋であって、外気を収容するための内袋を組み込んだ蓋。
【発明の詳細な説明】
【技術分野】
【０００１】
本発明は、液体やゼリー状物質等の流動性物質を内部に保存する流動性物質保存容器に係り、特に流動性物質を内部から外部に導く出口を持つ蓋部及びその蓋部を備えた流動性物質保存容器に関する。
【背景技術】
【０００２】
従来の流動性物質保存容器は、内容物を取出す際、吐出口が開放状態であるため、外気が容器内部に流入して内容物が常に空気に接触して酸化、また、吐出口周辺に付着し変質した不純物の容器内部への侵入を防止することができず、このため、容器内部の収容物の品質を低下させるなどの現象が起こっていた。
【０００３】
外気の流入を防ぐ容器として、例えば文献１や文献２に記載された容器がある。いずれの場合も容器の可撓性材料でつくられた収容部を握り収容物に圧力を加えると、その圧力で弁部を変形又は移動して吐出口を開き、圧力を取り除くと吐出口を閉じる逆止弁構造の作用により外気の流入を防止している。
【先行技術文献】
【特許文献】
【０００４】
【特許文献１】特許第３４９２６００号公報
【特許文献２】特開２００７−３２６５８１号公報
【発明の概要】
【発明が解決しようとする課題】
【０００５】
特許文献１に記載された発明の第一実施例によれば、注出口の開閉は、ノズル部材の薄肉部が伸長する変形によって可能となっているが、ノズル部材の伸縮変形可能という素材の性質だけをもって、中栓突起とノズル部材の間に、収容物を吐出するのに十分な隙間を生じさせることは難しく、ノズル部材は柔らかいゴム状の素材で作る必要があるため、気密を保持するのに必要な、適度な硬さや強度をもったノズル部材を作ることが出来なかった。そのため、ノズル部材に不用意に手が触れたりした場合に、ノズル部材が簡単に変形したり脱落して、気密性が損なわれるという問題があった。
また、特許文献１に記載された発明の第二実施例によれば、ノズル部材の形状に、Ｖ字型にくぼむ屈曲部を設けているが、この形状では開口状態から閉口状態に自動的に復帰することは極めて難しい問題があった。
【０００６】
この容器は、容器本体の側面を押圧することで内容物を取出す構造であるため、容器本体（収容部）が硬質のガラス瓶、プラスチックボトル、金属製缶等の容器が用いられていて、容器から収容物を取り出す際、多くは「注ぐ」という動作がとられている酒、ワイン、醤油、食用油等の容器としては使い勝手が悪い、又ドレッシング等一部に見られる粒状の固形物を含む流動性物質の場合、前記中栓突起の側面とノズル部材との密着が固形物によって阻害され使用できないという問題があった。
【０００７】
また、特許文献２に記載された容器は、積層フィルムからなる軟質にして可撓性のある包装袋本体の側部もしくは頂部に、逆止機能を有する液体注出ノズルを融着接合している。この容器は開封後に容器本体を強く握り締めたりすると内容物が水鉄砲のように飛び出してしまい衣服や周辺を汚す問題があった。又、液だれがあるため、注出口周辺や容器外装、テーブル等を汚す、又、横倒しにすると内容物が流出するので、卓上や保管場所で意図せず横倒しにしてしまった場合には内容物を流失、周辺を汚す問題があった。
本発明は、このような従来容器の課題を解決することを目的としてなされたものである。
【課題を解決するための手段】
【０００８】
前記課題を解決するために、請求項１に記載した本発明の実施例は、流動性物質を収容するための内部空間を形成する収容部及びその収容部の内部空間内に連通する開口部を備える容器本体と、前記容器本体の前記開口部に一体若しくは着脱可能に設けられてこの開口部を塞ぐと共に前記流動性物質の吐出口が形成された蓋部と、を備え、
前記蓋部は、前記吐出口を有する中蓋と、可撓性の薄いシートで筒状に形成され、その一端部が前記吐出口に連結され、その他端部に注出口を有する注出部と、を有し、
前記注出部が前記流動性物質を前記吐出口から外部に導くようになっていることを特徴とする。
【０００９】
請求項２に記載した本発明の実施例は、請求項１に記載の流動性物質保存容器において、前記収容部の内側に流動性物質を収容する内部空間を有する内袋を配置し、前記内袋と前記容器本体収容部外壁との間に空間部を形成し、この空間部を外気と連通させたことを特徴とする。
【００１０】
請求項３に記載した本発明の実施例は、請求項１〜請求項２に記載の流動性物質保存容器において、前記収容部の内側に、外気を収容する内部空間を有する内袋を配置し、この空間部を外気と連通させたことを特徴とする。
【００１１】
請求項４に記載した本発明の実施例は、請求項１〜請求項３に記載の流動性物質保存容器において、前記注出口の閉口後に、この注出口の縁に流動性物質が付着残存した場合、これを除去する吸収材を設けることを特徴とする
【００１２】
請求項５に記載した本発明の実施例は、請求項１〜請求項４に記載の流動性物質保存容器において、前記蓋部又は容器本体に対し、容器内の圧力を高くすることが出来るポンプ機構を備えることを特徴とする。
【００１３】
請求項６に記載した本発明の実施例は、流動性物質保存容器の開口部に一体若しくは着脱可能に設けられて、当該開口部を塞ぐと共に前記流動性物質の吐出口が形成された蓋であって、
前記蓋は、前記吐出口を有する中蓋と、可撓性の薄いシートで筒状に形成され、その一端部が前記吐出口に連結され、その他端部に注出口を有する注出部と、を有し、
前記注出部が前記流動性物質を前記吐出口から外部に導くようになっていることを特徴とする。
【００１４】
請求項７に記載した本発明の実施例では、請求項６に記載の流動性物質の保存容器の蓋において、空気を収容するための内袋を組み込んだことを特徴とする。
【発明の効果】
【００１５】
上述した本発明の実施例によれば、前記注出口は、容器本体起立時においては注出部を形成する筒状の相対する内面が密着して閉口状態であり、収容物の流動性物質を取り出すために、容器本体を収容物を注ぎ出す方向に傾けると収容物の圧力で注出部は中心から放射状に広がり前記注出口が開き、収容物は注出される。容器本体を起立状態に戻すと収容物の圧力が無くなり前記注出部が元の形に戻って相対する内面が密着し、前記注出口が閉じるので、外気の侵入や、一旦外に出た流動性物質の逆流を防ぐことによって、容器内部の物質の変質を抑制することができる。また、収容物を取出した後に、出口周辺を掃除する場合に、出口が密閉状態なので安心して簡単に作業ができ、常に清潔に保つことが可能である。
【００１６】
また、閉口後、前記注出口の縁に、微少ではあっても内容物が付着残存した場合は注出口周辺に設けられた吸収材によって吸収除去し、汚れを防止できる。
内容物が粒状の固形物を含む流動性物質の場合も、注出部は柔軟に変形可能な薄いシートによって構成されているので、粒状の固形物を間に挟んだままで密着し閉塞することが可能である。
【図面の簡単な説明】
【００１７】
【図１】本発明に基づく実施例１に係る流動性物質保存容器の蓋部及び容器本体開口部付近の断面図である。
【図２】図１の外蓋を取り外した状態である。
【図３】図２における蓋本体の平面図である。
【図４】注出部の図であり、（１）平面図、（２）側面から見た断面図、（３）開口時の側面から見た断面図、（４）は（３）のＸ−Ｘの矢視図である。
【図５】注出部の平面図であり、本発明に基づく実施例４に係る図である。
【図６】実施例７に係る流動性物質保存容器の図である。
【図７】実施例５に係る流動性物質保存容器の図である。
【図８】実施例６に係る流動性物質保存容器の図である。
【図９】実施例７に係る断面図である。
【発明を実施するための形態】
【００１８】
次に、本発明の実施例について、図面を参照しつつ説明する。
【実施例１】
【００１９】
図１は、本実施例１に係る流動性物質保存容器の蓋部１及び容器本体２の開口部付近の断面図である。
図２は、図１の外蓋１aを取り外し、注出口４が開いている状態を示す図である。
図３は、図２蓋本体１cの平面図である。
図４は、注出部の図であり、（１）平面図、（２）側面から見た断面図、（３）開口時の側面から見た断面図、（４）は（３）のＸ−Ｘの矢視図である。
本実施例の前記流動性物質保存容器はボトル状容器であって、蓋部１（外蓋１a、中蓋１b、蓋本体１c）と、容器本体２（開口部２a、収容部２b）、注出部４、内袋６、とを備える。内袋６の内部に密閉したＡ空間７を形成しており、そのＡ空間７に、液状やゼリー状物質などの流動性物質が充填状態で収容されている。又、開口部２aは、収容部２bの内容物を取出す方向の一端部に設けられ、他端部は内袋６が形成するＡ空間７に連通する。本実施例の開口部２aは円筒形となっており、外径面に雄ネジを形成しておく。
【００２０】
前記蓋部１は、容器本体２に対し開口部２aを塞ぐ形で取り付けられており、開口部２aと反対の方向に外部との中蓋１bを有しており、中蓋１bには吐出口３と空気口９が備えられている。吐出口３は開口部２aを介して内袋６のＡ空間７に連通しており、内袋６と本体収容部２bの外壁との間の隙間であるＢ空間８は、空気口９を介して外気に連通している。尚、蓋本体１の結合部１０は内径面に雌ネジが形成されており、本体開口部２aに螺合されている。
【００２１】
注出部４は可撓性の薄いシートで筒状に形成されており、その他端部が吐出口３に連結され、その他端部に注出口５を有する。注出部４の内部は吐出口３と開口部２aを介して内袋内のＡ空間７に連通している。容器本体２の起立時においては、注出部４の薄いシートの筒状内側の相対する面が密着して注出口５は閉じている。
【００２２】
収容物の流動性物質を取出すために、外蓋１aを取り外し、容器本体２を収容物を注ぎ出す方向に傾けると、注出部４は移動する収容物の自重の圧力によっては中心から放射状に押し広げられ、注出口５が開き収容物が注出される。取出された内容物と同じ容積の外気が空気口９からＡ空間７に流入して収容される。容器本体２を起立状態に戻すと注出部４内の圧力が無くなり、注出部４が元の形に戻って、注出部４の相対する内面が密着し注出口５が閉塞する。
このように、注出口４は、容器本体２の傾きに伴う内容物の移動に連動して開口又は閉口の動作をするので、内容物の注出のみを可能とし、外気他、汚物などが注出口５から一切流入しない逆止機能を発揮する。尚、内袋１４内のＡ空間７に収容されている流動性物質は、Ｂ空間８に収容される外気とは内袋１４によって隔離されている。
【００２３】
また、内容物が粒状の固形物を含む流動性物質の場合も、注出部４は柔軟に変形可能な可撓性の薄いシートによって構成されているので、粒状の固形物を間に挟んだままで密着し閉塞することが可能である。この場合、密閉性能を強化するため、注出部４の吐出口３から注出口５までの長さを長くしも良い。
【実施例２】
【００２４】
外蓋１aの内側に、液体吸収性が高く柔軟性のある素材で形成された吸収材１０を装着し、外蓋１aを閉じている時は、吸収材１０の押圧により注出口５及び吐出口３の密閉力を補強することと併せて、空気口９を閉塞することによって、Ｂ空間８内の外気及びＡ空間７の内容物の移動を抑制し、注出口５及び吐出口３の密閉力を補うようにしても良い。
【００２５】
上記吸収材１０を簡易に着脱可能な状態で装着しておき、必要に応じて随時取り外し、洗浄後、再び取りつけるようにしてもよい。これにより、注出口５周辺を常に清潔に保つことが容易になる。
【実施例３】
【００２６】
図５の（１）は、注出部４の平面図であり、実施例２に関わる図である。
注出口５の先端開口部を∧（やま）形（ペン先形）にしておく。内容物を微量注出する場合、容器本体２を僅かに傾けると、注出口５は隙間状に僅かに開き、内容物は注出口５の∧形の縁を辿って∧形の先端部分から少量が細く注出される。多くの量を注出する場合は、容器本体２の傾きを大きくすると、注出口５は○形に開いて最大量を注出する。ただし、内容物が流動性の低い高粘度の流動性物質の場合は、注出量の細かい制御と∧形の効果が得難い場合もある。
【実施例４】
【００２７】
図５の（２）は、注出部４の平面図であり、実施例３に関わる図である。
注出口５を開封前は融着等により封鎖しておき、開封時に先端を破線部Ｙより手指によって引裂き開封するようにしても良い。これによって、開封前の気密状態を更に確実にすると共に、開封、未開封を示すことが出来る。尚、正確な注出口５の形状を得るために、引裂く箇所に引裂きを誘導する疵や薄肉部を設けても良い。
【実施例５】
【００２８】
容器本体２の起立状態において、蓋本体１の注出部４を支える部分の表面を、吐出口３側から注出口５方向に、高さ位置が徐々に高くなるように形成し、容器本体２を起立状態に戻すと注出部４内の内容物が自重で液引きを誘導するようにしても良い。
【実施例６】
【００２９】
基本構成は、上記各実施例と同様であるが、空気口９に手指で開閉する蓋１３を設けた点
が異なる。蓋１３を指で押し開けている場合のみ空気口９が開き、指を放すと蓋１３が自動的に閉じるようにしても良い。これによって、指で蓋１３を押し開けている間のみ内容物の注出を可能とし、蓋１３から指が離れている場合は不用意に容器を転倒させても内容物は流出しないようにする。
【実施例７】
【００３０】
基本構成は、上記各実施例と同様であるが、蓋本体１に、外気の流入量を調整することによって内容物の注出量を制御する機構を設けた点が異なる。図８に示す例では、蓋本体５の空気口９に、１回の操作毎に一定量の外気を流入する簡易なポンプ機構１４を着脱可能に設置する。
図８に例示するポンプ機構は、弾力性に富んだ可撓性の材料で風船状に形成されており、ポンプ機構１４を任意の回数握圧することによって、流入する外気とほぼ同量の容積の内容物を簡易に計量しながら取出すことができる。又、ポンプ機構は、外気の移動を強制するので、内容物の流動性が低く粘性の高い物質の容器として使用することも可能となる。図１４では、ポンプ機構１４を蓋部１に設置しているが容器本体２に設置するようにしても良い。
【実施例８】
【００３１】
図６は、請求項４に係る流動性物質保存容器の断面図であり、本実施例７を説明する図である。本実施例７では、内容物の流動性物質と流入する外気を収容する空間が請求項３の場合と逆転している。流動性物質は内袋６と収容部２b外壁との間のＢ空間８に収容されており、流入する外気は内袋内のＡ空間７に収容される構成となっている。
次に、流動性物質充填時から開封までの流れに沿って説明する。
流動性物質は開口部２aより、収容部２bの内部空間（Ｂ空間８）に充填収容される。
その後、外気を収容するＡ空間７を有する内袋６及び蓋部１が開口部aに装着され、開口部２aは蓋部１によって閉塞される。（この時点で、内袋内のＡ空間７は真空状態である。）
内容物の流動性物質を取り出すために、外蓋１aを取り外し、内容物を注ぎ出す方向に容器本体２を傾けると、注出部４は移動する内容物の自重の圧力によって中心から放射状に押し広げられ、注出口５が開き内容物が注出される。
それと同時に、取出された内容物と同じ容積の外気が空気口９から流入してＡ空間７に収容される。
容器本体２を起立状態に戻すと注出部４内の圧力が無くなり、注出部４が元の形に戻って、筒状を形成する注出部４の相対する内面が密着し注出口５が閉塞する。
【００３２】
このように、注出口５は、容器本体２の傾きに伴う内容物の移動に連動して開口又は閉口の動作をするので、内容物の注出のみを可能とし、外気他、汚物などが注出口５から一切流入しない逆止機能を発揮する。内容物の流動性物質を取り出す時以外は上記注出口５が閉じており、外気の侵入や、一旦外に出た内容物の逆流を防ぐことができ、容器内部の物質の変質を抑制することができる。
【００３３】
本実施例７の場合の利点は、内袋６の容積を収容物の容量より大きめに形成することによって、収容部２bの形状が多少異なる容器であっても、接合部１１の形状が同じであれば、蓋部１及び内袋６の共用が可能となることである。
例えば、消費者が任意の容器に、開封後、自らその容器の開口部の形状に適応する接合部１１を有する蓋部１及び内袋６を取り付けて使用することも可能となる。
又、ワイン等の販売業者が従来容器の既存のワインに対し、別途に蓋部１と内袋６を組み合わせて提供し、消費者が容器開封時にその容器に取り付けて使用することも可能となる。
【００３４】
図９は、内袋６を組み込んだ蓋部１を、容器本体２とは別途にして扱う場合のイメージ図である。内袋６を小さく畳むか、丸めるなどして蓋部１とセットにしてもよい。又、更に、内袋６を別途の交換用部品として、蓋部１を再利用するようにしても良い。
【００３５】
本明細書では、収容部の形状についてボトルを例に説明しているが、これは一例であって、ボックスタイプや袋状の容器等であっても良い。
本明細書図面において、外蓋１aと蓋本体１cの接合部をはめ込み式にしているが、これは一例であって、ヒンジ式、ねじ込み式等であっても良い。
本明細書図面において、蓋部1と容器本体２の接合部１１は、ねじ込み式となっているが、はめ込み式、又は熱融着等による固定的な結合でも良い。
【符号の説明】
【００３６】
１  蓋部
１a  外蓋
１b  中蓋
１c  蓋本体
２  容器本体
２a  開口部
２b  収容部
３  吐出口
４  注出部
５  注出口
６  内袋
７  Ａ空間（内袋内の空間）
８  Ｂ空間（内袋と容器本体外壁の間の空間）
９  空気口
１０  吸収材
１１  蓋部と容器本体の接合部
１２  注出部と中蓋の接合部
１３  空気口蓋
１４  空気ポンプ
１５  空気逆止弁
【図１】
2015178388.tif 000003
【図２】
2015178388.tif 000004
【図３】
2015178388.tif 000005
【図４】
2015178388.tif 000006
【図５】
2015178388.tif 000007
【図６】
2015178388.tif 000008
【図７】
2015178388.tif 000009
【図８】
2015178388.tif 000010
【図９】
2015178388.tif 000011